(57)【特許請求の範囲】
【請求項１】
個人の身分を証明するための身分証明書のカード本体上に貼り付けて用いられ、前記身分証明書のカード本体とは別体の支持体となる紙の表面全体に感光層として写真乳剤層を設けた写真感光材料である写真印画紙に、前記身分証明書申請者の本人確認のための写真フィルムの顔写真画像を露光により焼き付けて印画された身分証明用写真において、
前記写真は、印画紙の支持体の前記顔写真画像が焼き付けられた写真面に、前記身分証明書申請者の個人を識別する各種の個人識別情報を登録した、該情報の記録可能な記憶容量を有する読み出し専用メモリを備えたＩＤチップが埋め込んで設けられており、前記ＩＤチップの読み出し専用メモリに登録する前記個人識別情報は、前記身分証明書申請者のＩＤ番号、氏名、性別、本籍地、生年月日、身長、現住所、連絡先、身分証明書の発行年月日、身分証明書の有効期限年月日などの個人認証情報及び前記写真印画紙に焼き付けられた前記顔写真画像と対比可能な前記身分証明書申請者の顔写真情報であることを特徴とするＩＤチップ付き身分証明用写真。
【請求項２】
上記ＩＤチップの読み出し専用メモリに登録する上記個人識別情報は、上記写真印画紙に焼き付けられた上記顔写真画像と対比可能な身分証明書申請者の全身の写真情報である請求項１に記載のＩＤチップ付き身分証明用写真。
【請求項３】
上記写真印画紙の支持体の上記写真面に埋め込まれている上記読み出し専用メモリを備えたＩＤチップの数は、１個または複数個である請求項１または２に記載のＩＤチップ付き身分証明用写真。
【請求項４】
上記読み出し専用メモリを備えたＩＤチップが埋め込まれていることを示す表示を上記写真印画紙の支持体の上記写真面に施してある請求項１乃至３のいずれかに記載のＩＤチップ付き身分証明用写真。
【発明の詳細な説明】
【０００１】
【発明の属する技術分野】
本発明は、身分証明書申請者の各種の個人識別情報を登録した読み出し専用メモリを備えた偽造防止用のＩＤチップを埋め込んだＩＤチップ付き身分証明用写真に関するものである。
【０００２】
【従来の技術】
一般に、身分証明書は官庁・会社・学校などで、その官史・職員・生徒であることを証明するために発行する文書である。
【０００３】
身分証明書としては、個人を識別するために用いられるＩＤカード、社員証、学生証などが広く知られており、また、パスポート、運転免許証、健康保険証なども身分証明書として利用されている。
【０００４】
身分証明書には、カード本体に個人の身分を証明すると共に、本人確認のための身分証明書申請者の顔写真画像を焼き付けた写真印画紙からなる身分証明用写真が貼り付けられたり、あるいは、カード本体に身分証明書申請者の顔写真が印刷されている。
【０００５】
また、官庁・会社・学校などのセキュリティ確保のため、官庁の庁舎・会社の社屋・学校の校舎などの建物内への外来者の入門規制が厳しく実施されるようになってきており、外来者の身分証明書の提示による確認が行われている。
【０００６】
従来、特開２０００−１５８８６１号公報には、偽造され難く、信用度が高く、所持者本人の各種個人情報を収納可能で、携帯に便利で、且つ公的な書類にも適合するカード状の証明書が開示されている。
【０００７】
【発明が解決しようとする課題】
ところが、通常の身分証明用写真は、身分証明書申請者の顔写真画像が写真印画紙の表面に単に焼き付けて印画されているのみのものであった。
しかも、近年日本においては、身分証明書の偽造が巧妙になってきており、精巧に偽造した偽造身分証明書が犯罪に使用されるおそれもあった。
【０００８】
また、現状では、外来者が建物内へ入門する際に、身分証明書を建物の正面玄関で提示しても、建物の正面玄関の警備員が身分証明書の証明用顔写真と身分証明書所持者の顔とを目視により照合し、身分証明書申請者と身分証明書所持者とが同一人物であるか否かの確認を行うのみのため、偽造身分証明書の建物の正面玄関の警備員によるセキュリティ確保のためのチェックを厳重に行えず、不法侵入者を建物の正面玄関で未然に取り締まることが困難であった。
【０００９】
さらに、特開２０００−１５８８６１号公報に開示されたカード状の証明書は、その内部にＩＣメモリ層を有するカード状の基材の上面に偽造防止印刷層が形成され、ＩＣメモリ層は証明書所持者本人の顔写真画像及び証明書所持者本人のデータを記憶する本人情報記憶手段を有し、身分証明書、パスポート、その他公的期間で発行する証明書として利用されるものであった。
【００１０】
本発明の目的は、上述する問題点に対処して、身分証明書申請者の個人を識別する各種の個人識別情報を写真印画紙の支持体の写真面に埋め込まれているＩＤチップの読み出し専用メモリに登録させ、身分証明書のカード本体にＩＤチップ付き身分証明用写真を貼り付けることで、身分証明書の電子認証が可能となり、ＩＤチップの読み出し専用メモリに登録されている身分証明書申請者の個人を識別する各種の個人識別情報を専用のＩＤチップリーダにより読み出して表示装置の表示画面上に表示させ、建物の正面玄関の警備員が身分証明書に印刷されている個人情報と表示装置の表示画面上に表示されたＩＤチップの読み出し専用メモリから読み出した身分証明書申請者の個人識別情報とを目視により照合し、身分証明書に登録されている人物と身分証明書の所持者とが同一人物であるか否かの確認が行え、身分証明書に印刷されている個人情報と表示装置の表示画面上に表示されたＩＤチップの読み出し専用メモリから読み出した身分証明書申請者の個人識別情報とによって偽造身分証明書の判定を行い、建物の正面玄関での警備員によるセキュリティ確保のための偽造身分証明書のチェックを厳重に行え、不法侵入者を建物の正面玄関で確実に取り締まることが可能なＩＤチップ付き身分証明用写真を提供することにある。
【００１１】
【課題を解決するための手段】
本発明のＩＤチップ付き身分証明用写真は、個人の身分を証明するための身分証明書のカード本体上に貼り付けて用いられ、前記身分証明書のカード本体とは別体の支持体となる紙の表面全体に感光層として写真乳剤層を設けた写真感光材料である写真印画紙に、前記身分証明書申請者の本人確認のための写真フィルムの顔写真画像を露光により焼き付けて印画された身分証明用写真において、前記写真は印画紙の支持体の前記顔写真画像が焼き付けられた写真面に、前記身分証明書申請者の個人を識別する各種の個人識別情報を登録した、該情報の記録が可能な記憶容量を有する読み出し専用メモリを備えたＩＤチップを埋め込んで設け、前記ＩＤチップの読み出し専用メモリに登録する前記個人識別情報が、前記身分証明書申請者のＩＤ番号、氏名、性別、本籍地、生年月日、身長、現住所、連絡先、身分証明書の発行年月日、身分証明書の有効期限年月日などの個人認証情報及び前記写真印画紙に焼き付けられた前記顔写真画像と対比可能な前記身分証明書申請者の顔写真情報であることを特徴とするものである。
【００１４】
本発明のＩＤチップ付き身分証明用写真は、上記ＩＤチップの読み出し専用メモリに登録された上記個人識別情報が、上記写真印画紙に焼き付けられた上記顔写真画像と対比可能な身分証明書申請者の全身の写真情報である。
【００１５】
本発明のＩＤチップ付き身分証明用写真は、上記写真印画紙の支持体の上記写真面に埋め込まれている上記読み出し専用メモリを備えたＩＤチップの数が、１個または複数個である。
【００１６】
本発明のＩＤチップ付き身分証明用写真は、上記読み出し専用メモリを備えたＩＤチップが埋め込まれていることを示す表示を上記写真印画紙の支持体の上記写真面に施してある。
【００１７】
【発明の実施の形態】
以下、本発明の実施の形態を図面に基づいて詳細に説明する。
図１は、本発明の実施形態１に係わるＩＤチップ付き身分証明用写真を示す正面図、図２は、本発明の実施形態１に係わるＩＤチップ付き身分証明用写真の要部横断面図、図３は、本発明のＩＤチップ付き身分証明用写真を貼り付けた身分証明書を示す正面図である。
本発明のＩＤチップ付き身分証明用写真１は、図１に示すように、個人の身分を証明するための身分証明書６のカード本体６０上に貼り付けて用いられ、身分証明書６のカード本体６０とは別体の支持体となる紙の表面全体に感光層として写真乳剤層５を設けた写真感光材料である写真印画紙３に、身分証明書申請者の本人確認のための写真フィルムの顔写真画像２を露光により焼き付けて印画されており、写真印画紙３の支持体の顔写真画像２が焼き付けられた写真面３４に、身分証明書申請者の個人を識別する各種の個人識別情報を登録可能な記憶容量を有する読み出し専用メモリであるＲＯＭ（図示せず）を備えたＩＤチップ４を埋め込んで設けている。
【００１８】
ＩＤチップ付き身分証明用写真１の写真印画紙３の支持体となる紙の表面３ａ全体には、図２に示すように、感光層として写真感光材料からなる写真乳剤層５が積層して設けられている。
【００１９】
ＩＤチップ付き身分証明用写真１の写真印画紙３の支持体の写真面３４には、図１に示すように、上縁３０ａと一側縁３０ｂとのコーナー部３１にＲＯＭを備えた１個のＩＤチップ４が埋設されている。
【００２０】
ＩＤチップ付き身分証明用写真１の写真印画紙３の支持体の写真面３４に埋め込んで設けたＩＤチップ４のＲＯＭ（読み出し専用メモリ）には、身分証明書申請者の個人を識別するための各種の個人識別情報としてＩＤ番号、氏名、性別、本籍地、生年月日、身長、現住所、連絡先、身分証明書の発行年月日、身分証明書の有効期限年月日などの個人認証情報が登録されている。
【００２１】
ＩＤチップ付き身分証明用写真１の写真印画紙３の支持体となる紙の表面３ａには、図１に示すように、ＲＯＭを備えたＩＤチップ４を埋め込まれていることを示す表示３２が印刷により施されている。
【００２２】
また、ＩＤチップ付き身分証明用写真１の写真印画紙３の支持体となる紙の表面３ａには、図１に示すように、ＲＯＭを備えたＩＤチップ４の埋め込まれている場所を示す表示３３が印刷により施されている。
【００２３】
ＩＤチップ付き身分証明用写真１の写真印画紙３に埋め込まれるＩＤチップ４はＩＣ（集積回路）チップからなり、このＩＣチップは数字を記録することが可能である。
【００２４】
ＩＤチップ４は、縦×横０．４ｍｍ角、厚さ０．０６ｍｍで、ＩＤチップ付き身分証明用写真１の写真印画紙３に埋め込んで折り曲げても壊れることがなく、身分証明書申請者の個人を識別する各種の個人識別情報を記録可能な記憶容量を有するＲＯＭ（Ｒｅａｄ  Ｏｎｌｙ  Ｍｅｍｏｒｙ；読み出し専用メモリ）を備えている。
【００２５】
本発明のＩＤチップ付き身分証明用写真１は、ＩＤチップ４のＲＯＭに登録された個人識別情報が、写真印画紙３に焼き付けられた顔写真画像２と対比可能な身分証明書申請者の顔写真情報である。
【００２６】
本発明のＩＤチップ付き身分証明用写真１は、ＩＤチップ４のＲＯＭに登録された個人識別情報が、写真印画紙３に焼き付けられた顔写真画像２と対比可能な身分証明書申請者の全身の写真情報である。
【００２７】
本発明のＩＤチップ付き身分証明用写真１は、ＲＯＭを備えたＩＤチップ４の埋め込まれている位置が写真印画紙３の中央部、周縁部若しくはコーナー部である。
【００２８】
本発明のＩＤチップ付き身分証明用写真１は、ＲＯＭを備えたＩＤチップ４の埋め込まれている場所が、写真印画紙３の支持体の身分証明書申請者の顔写真画像２を焼き付けられている写真面３４である。
【００２９】
本発明のＩＤチップ付き身分証明用写真１は、写真印画紙３の支持体の写真面３４に埋め込まれているＲＯＭを備えたＩＤチップ４の数が、１個または複数個である。
【００３０】
次に、本発明のＩＤチップ付き身分証明用写真１の使用方法について説明する。
まず、身分証明書申請者の証明用写真撮影時に、ＩＤチップ付き身分証明用写真１の写真印画紙３の支持体の写真面３４に埋め込んで設けたＩＤチップ４に備えられたＲＯＭに身分証明書申請者の個人を識別するための個人識別情報としてＩＤ番号、氏名、性別、本籍地、生年月日、身長、現住所、連絡先、身分証明書の発行年月日、身分証明書の有効期限年月日などの個人認証情報を登録すると共に、ＩＤチップ付き身分証明用写真１の写真印画紙３に焼き付けられた身分証明書申請者の顔写真画像２を画像入力装置であるスキャナで読み込み、ＩＤチップ付き身分証明用写真１の写真印画紙３の支持体の写真面３４に埋め込まれているＩＤチップ４のＲＯＭに個人識別情報としてスキャナで読み込んだ身分証明書申請者の顔写真情報を登録し、さらに、ＩＤチップ付き身分証明用写真１の写真印画紙３の支持体の写真面３４に埋め込まれているＩＤチップ４のＲＯＭに個人識別情報として身分証明書申請者の全身の写真情報を登録する。
【００３１】
身分証明書申請者は、ＩＤチップ付き身分証明用写真１と身分証明書発給申請書とを提出して身分証明書発給申請の手続きを行い、図３に示すように、ＩＤチップ付き身分証明用写真１をカード本体６０に貼り付けられた身分証明書６を身分証明書申請者に発給する。
【００３２】
そして、外来者はＩＤチップ付き身分証明用写真１をカード本体６０上に貼り付けられた身分証明書６を持参し、身分証明書６を建物の正面玄関で提示する。
【００３３】
建物の正面玄関の警備員は、ＩＤチップ付き身分証明用写真１の写真印画紙３の支持体の写真面３４に埋め込んで設けたＩＤチップ４のＲＯＭに登録された身分証明書申請者の個人を識別するための個人識別情報を専用のＩＤチップ読取り装置であるＩＤチップリーダを使用して電波で読取り、ＩＤチップ４のＲＯＭから専用のＩＤチップリーダで読取った個人識別情報であるＩＤ番号、氏名、性別、本籍地、生年月日、身長、現住所、連絡先、身分証明書の発行年月日、身分証明書の有効期限年月日などの個人認証情報と身分証明書申請者の顔写真情報と身分証明書申請者の全身の写真情報を表示装置であるディスプレイの表示画面上に表示させることができる。
【００３４】
建物の正面玄関の警備員は、身分証明書６のカード本体６０に印刷されている個人情報とディスプレイの表示画面上に表示されたＩＤチップ４のＲＯＭに登録された個人識別情報であるＩＤ番号、氏名、性別、本籍地、生年月日、身長、現住所、連絡先、身分証明書の発行年月日、身分証明書の有効期限年月日などの個人認証情報を目視により照合して偽造身分証明書の判定を行うことができ、建物の正面玄関での警備員によるセキュリティ確保のための偽造身分証明書のチェックを厳重に行え、不法侵入者を建物の正面玄関で確実に取り締まることができる。
【００３５】
また、建物の正面玄関の警備員は、身分証明書６のカード本体６０に貼り付けられたＩＤチップ付き身分証明用写真１の写真印画紙３に焼き付けられている身分証明書申請者の顔写真画像２とディスプレイの表示画面上に表示されたＩＤチップ４のＲＯＭから読み出した個人識別情報である身分証明書申請者の顔写真情報とを目視により比較し、身分証明書申請者と身分証明書所持者とが同一人物であるか否かの確認を行い、ＩＤチップ付き身分証明用写真１の写真印画紙３に焼き付けられている身分証明書申請者の顔写真画像２とディスプレイの表示画面上に表示されたＩＤチップ４のＲＯＭから読み出した身分証明書申請者の顔写真情報とによって偽造身分証明書の判定を行うことができ、建物の正面玄関での警備員によるセキュリティ確保のための偽造身分証明書のチェックを厳重に行え、不法侵入者を建物の正面玄関で確実に取り締まることができる。
【００３６】
さらに、建物の正面玄関の警備員は、身分証明書所持者の全身とディスプレイの表示画面上に表示されたＩＤチップ４のＲＯＭから読み出した個人識別情報である身分証明書申請者の全身の写真情報とを目視により比較し、身分証明書申請者と身分証明書所持者とが同一人物であるか否かの確認を行い、身分証明書所持者の全身とディスプレイの表示画面上に表示されたＩＤチップ４のＲＯＭから読み出した身分証明書申請者の全身の写真情報とによって偽造身分証明書の判定を行うことができ、建物の正面玄関での警備員によるセキュリティ確保のための偽造身分証明書のチェックを厳重に行え、不法侵入者を建物の正面玄関で確実に取り締まることができる。
【００３７】
図４は、本発明の実施形態２に係わるＩＤチップ付き身分証明用写真を示す正面図である。
ＩＤチップ付き身分証明用写真１の写真印画紙３の支持体の写真面３４には、図４に示すように、中央部３５に身分証明書申請者の個人を識別するための各種の個人識別情報を登録したＲＯＭを備えたＩＤチップ４が埋め込んで設けられている。
【００３８】
図５は、本発明の実施形態３に係わるＩＤチップ付き身分証明用写真を示す正面図である。
ＩＤチップ付き身分証明用写真１の写真印画紙３の支持体の写真面３４には、図５に示すように、上縁３０ａと一側縁３０ｂとのコーナー部３１及び中央部３５に身分証明書申請者の個人を識別するための各種の個人識別情報を登録したＲＯＭを備えたＩＤチップ４ａ及びＩＤチップ４ｂが埋め込んで設けられている。
【００３９】
図６は、本発明の実施形態４に係わるＩＤチップ付き身分証明用写真を示す正面図である。
ＩＤチップ付き身分証明用写真１の写真印画紙３の支持体の写真面３４には、図６に示すように、上縁３０ａと一側縁３０ｂとのコーナー部３１及び一側縁３０ｂと下縁３０ｃとのコーナー部３６に身分証明書申請者の個人を識別するための各種の個人識別情報を登録したＲＯＭを備えたＩＤチップ４ａ及びＩＤチップ４ｃが埋め込んで設けられている。
【００４０】
ＩＤチップ付き身分証明用写真１の写真印画紙３の支持体となる紙の表面３ａには、図６に示すように、ＲＯＭを備えたＩＤチップ４ａ、４ｃを埋め込まれていることを示す表示３２が印刷により施されている。
【００４１】
また、ＩＤチップ付き身分証明用写真１の写真印画紙３の支持体となる紙の表面３ａには、図６に示すように、ＲＯＭを備えたＩＤチップ４ａ、４ｃの埋め込まれている場所を示す表示３３が印刷により施されている。
【００４２】
図７は、本発明の実施形態５に係わるＩＤチップ付き身分証明用写真を示す正面図である。
ＩＤチップ付き身分証明用写真１の写真印画紙３の支持体の写真面３４には、図７に示すように、上縁３０ａと一側縁３０ｂとのコーナー部３１、中央部３５及び一側縁３０ｂと下縁３０ｃとのコーナー部３６に身分証明書申請者の個人を識別するための個人識別情報を登録したＲＯＭを備えたＩＤチップ４ａ、ＩＤチップ４ｂ及びＩＤチップ４ｃが埋め込んで設けられている。
【００４３】
図８は、本発明の実施形態６に係わるＩＤチップ付き身分証明用写真を示す正面図である。
ＩＤチップ付き身分証明用写真１の写真印画紙３の支持体の写真面３４には、図８に示すように、上縁３０ａと一側縁３０ｂとのコーナー部３１、一側縁３０ｂと下縁３０ｃとのコーナー部３６及び上縁３０ａと他側縁３０ｄとのコーナー部３７に身分証明書申請者の個人を識別するための個人識別情報を登録したＲＯＭを備えたＩＤチップ４ａ、ＩＤチップ４ｃ及びＩＤチップ４ｄが埋め込んで設けられている。
【００４４】
ＩＤチップ付き身分証明用写真１の写真印画紙３の支持体となる紙の表面３ａには、図８に示すように、ＲＯＭを備えたＩＤチップ４ａ、４ｃ、４ｄを埋め込まれていることを示す表示３２が印刷により施されている。
【００４５】
また、ＩＤチップ付き身分証明用写真１の写真印画紙３の支持体となる紙の表面３ａには、図８に示すように、ＲＯＭを備えたＩＤチップ４ａ、４ｃ、４ｄの埋め込まれている場所を示す表示３３が印刷により施されている。
【００４６】
図９は、本発明の実施形態７に係わるＩＤチップ付き身分証明用写真を示す正面図である。
ＩＤチップ付き身分証明用写真１の写真印画紙３の支持体の写真面３４には、図９に示すように、上縁３０ａと一側縁３０ｂとのコーナー部３１、中央部３５、一側縁３０ｂと下縁３０ｃとのコーナー部３６及び上縁３０ａと他側縁３０ｄとのコーナー部３７に身分証明書申請者の個人を識別するための各種の個人識別情報を登録したＲＯＭを備えたＩＤチップ４ａ、ＩＤチップ４ｂ、ＩＤチップ４ｃ及びＩＤチップ４ｄが埋め込んで設けられている。
【００４７】
図１０は、本発明の実施形態８に係わるＩＤチップ付き身分証明用写真を示す正面図である。
ＩＤチップ付き身分証明用写真１の写真印画紙３の支持体の写真面３４には、図１０に示すように、上縁３０ａと一側縁３０ｂとのコーナー部３１、一側縁３０ｂと下縁３０ｃとのコーナー部３６、上縁３０ａと他側縁３０ｄとのコーナー部３７及び下縁３０ｃと他側縁３０ｄとのコーナー部３８に身分証明書申請者の個人を識別するための各種の個人識別情報を登録したＲＯＭを備えたＩＤチップ４ａ、ＩＤチップ４ｃ、ＩＤチップ４ｄ及びＩＤチップ４ｅが埋め込んで設けられている。
【００４８】
ＩＤチップ付き身分証明用写真１の写真印画紙３の支持体となる紙の表面３ａには、図１０に示すように、ＲＯＭを備えたＩＤチップ４ａ、４ｃ、４ｄ、４ｅを埋め込まれていることを示す表示３２が印刷により施されている。
【００４９】
また、ＩＤチップ付き身分証明用写真１の写真印画紙３の支持体となる紙の表面３ａには、図１０に示すように、ＲＯＭを備えたＩＤチップ４ａ、４ｃ、４ｄ、４ｅの埋め込まれている場所を示す表示３３が印刷により施されている。
【００５０】
図１１は、本発明の実施形態９に係わるＩＤチップ付き身分証明用写真を示す正面図である。
ＩＤチップ付き身分証明用写真１の写真印画紙３の支持体の写真面３４には、図１１に示すように、上縁３０ａと一側縁３０ｂとのコーナー部３１、中央部３５、一側縁３０ｂと下縁３０ｃとのコーナー部３６、上縁３０ａと他側縁３０ｄとのコーナー部３７及び下縁３０ｃと他側縁３０ｄとのコーナー部３８に身分証明書申請者の個人を識別するための各種の個人識別情報を登録したＲＯＭを備えたＩＤチップ４ａ、ＩＤチップ４ｂ、ＩＤチップ４ｃ、ＩＤチップ４ｄ及びＩＤチップ４ｅが埋め込んで設けられている。
【００５１】
なお、上述したＩＤチップ付き身分証明用写真をパスポート、運転免許証、各種の会員証、健康保険証、受験票などに貼り付けても良い。
【００５２】
【発明の効果】
以上に述べたように、本発明のＩＤチップ付き身分証明用写真は、読み出し専用メモリを備えたＩＤチップを写真印画紙の支持体の写真面に埋め込んだので、身分証明書申請者の個人を識別する各種の個人識別情報をＩＤチップの読み出し専用メモリに登録させることができ、読み出し専用メモリを備えたＩＤチップを写真印画紙の支持体の写真面に埋め込んで折り曲げてもＩＤチップが壊れることがなく、ＩＤチップの読み出し専用メモリの記憶容量が大きいので、より多くの各種の個人識別情報をＩＤチップの読み出し専用メモリに記録させることも可能である。さらに、身分証明書のカード本体上にこれと別体の必要事項を記録したＩＤチップ付き写真を貼り付けることで、身分証明書の電子認証が可能となる。また、ＩＤチップの読み出し専用メモリに個人識別情報を重複して書き込めないので、身分証明書の偽造を確実に防止することができると共に、該ＩＤチップが小さいので、写真印画紙に読み出し専用メモリを備えたＩＤチップを埋め込むための特別なスペースを必要とせず、ＩＤチップの読み出し専用メモリに登録されている身分証明書申請者の個人を識別する各種の個人識別情報を専用のＩＤチップリーダにより読み出して表示装置に表示させれば、建物の正面玄関の警備員が身分証明書に印刷されている個人情報と表示装置に表示されたＩＤチップの読み出し専用メモリから読み出した身分証明書に登録されている個人識別情報とを目視により照合し、身分証明書と証明書所持者とが同一人物であるか否かの確認が行え、偽造身分証明書の判定を容易に行うことができ、建物の正面玄関での警備員によるセキュリティ確保のための偽造身分証明書のチェックを厳重に行え、不法侵入者を建物の正面玄関で確実に取り締まることができる。
【００５３】
本発明のＩＤチップ付き身分証明用写真は、ＩＤチップの読み出し専用メモリに登録された個人識別情報が、身分証明書申請者のＩＤ番号、氏名、性別、本籍地、生年月日、身長、現住所、連絡先、身分証明書の発行年月日、身分証明書の有効期限年月日などの個人認証情報であるので、個人識別情報を身分証明書所持者の判定に有効利用することができる。
【００５４】
本発明のＩＤチップ付き身分証明用写真は、ＩＤチップの読み出し専用メモリに登録された個人識別情報が、写真印画紙に焼き付けられた顔写真画像と対比可能な身分証明書申請者の顔写真情報であるので、ＩＤチップの読み出し専用メモリに登録されている身分証明書申請者の顔写真情報を専用のＩＤチップリーダにより読み出して表示装置に表示させれば、建物の正面玄関の警備員が写真印画紙に焼き付けられている身分証明書申請者の顔写真画像と表示装置に表示されたＩＤチップから読み出した身分証明書申請者の顔写真情報とを目視により比較し、身分証明書申請者と身分証明書所持者とが同一人物であるか否かの確認が行え、写真印画紙に焼き付けられている身分証明書申請者の顔写真画像と表示装置に表示されたＩＤチップから読み出した身分証明書申請者の顔写真情報とによって偽造身分証明書の判定を行うことができる。
【００５５】
本発明のＩＤチップ付き身分証明用写真は、ＩＤチップの読み出し専用メモリに登録された個人識別情報が、写真印画紙に焼き付けられた顔写真画像と対比可能な身分証明書申請者の全身の写真情報であるので、ＩＤチップの読み出し専用メモリに登録されている身分証明書申請者の全身の写真情報を専用のＩＤチップリーダにより読み出して表示装置の表示画面上に表示させれば、建物の正面玄関の警備員が身分証明書所持者の全身と表示装置の表示画面上に表示されたＩＤチップの読み出し専用メモリから読み出した身分証明書申請者の全身の写真情報とを目視により比較し、偽造身分証明書の判定を行うことができる。
【００５６】
本発明のＩＤチップ付き身分証明用写真は、写真印画紙の支持体の写真面に埋め込まれている読み出し専用メモリを備えたＩＤチップの数が、１個または複数個であるので、読み出し専用メモリを備えたＩＤチップを写真印画紙の支持体の写真面に対して埋め込む個数を任意に選択することができる。
【００５７】
本発明のＩＤチップ付き身分証明用写真は、読み出し専用メモリを備えたＩＤチップが埋め込まれていることを示す表示を写真印画紙の支持体の写真面に施してあるので、読み出し専用メモリを備えた個人認証用のＩＤチップを写真印画紙の支持体の写真面に埋め込まれた身分証明用写真であることを目視により確認することができる。
【図面の簡単な説明】
【図１】  本発明の実施形態１に係わるＩＤチップ付き身分証明用写真を示す正面図。
【図２】  本発明の実施形態１に係わるＩＤチップ付き身分証明用写真の要部横断面図。
【図３】  本発明のＩＤチップ付き身分証明用写真を貼り付けた身分証明書を示す正面図。
【図４】  本発明の実施形態２に係わるＩＤチップ付き身分証明用写真を示す正面図。
【図５】  本発明の実施形態３に係わるＩＤチップ付き身分証明用写真を示す正面図。
【図６】  本発明の実施形態４に係わるＩＤチップ付き身分証明用写真を示す正面図。
【図７】  本発明の実施形態５に係わるＩＤチップ付き身分証明用写真を示す正面図。
【図８】  本発明の実施形態６に係わるＩＤチップ付き身分証明用写真を示す正面図。
【図９】  本発明の実施形態７に係わるＩＤチップ付き身分証明用写真を示す正面図。
【図１０】  本発明の実施形態８に係わるＩＤチップ付き身分証明用写真を示す正面図。
【図１１】  本発明の実施形態９に係わるＩＤチップ付き身分証明用写真を示す正面図。
【符号の説明】
１  ＩＤチップ付き身分証明用写真
２  顔写真画像
３  写真印画紙
３ａ  表面
４  ＩＤチップ
４ａ  ＩＤチップ
４ｂ  ＩＤチップ
４ｃ  ＩＤチップ
４ｄ  ＩＤチップ
４ｅ  ＩＤチップ
５  写真乳剤層
６  身分証明書
３０ａ  上縁
３０ｂ  一側縁
３０ｃ  下縁
３０ｄ  他側縁
３１  コーナー部
３２  表示
３３  表示
３４  写真面
３５  中央部
３６  コーナー部
３７  コーナー部
３８  コーナー部
６０  カード本体
【図１】
0003645222.tif 000002
【図２】
0003645222.tif 000003
【図３】
0003645222.tif 000004
【図４】
0003645222.tif 000005
【図５】
0003645222.tif 000006
【図６】
0003645222.tif 000007
【図７】
0003645222.tif 000008
【図８】
0003645222.tif 000009
【図９】
0003645222.tif 000010
【図１０】
0003645222.tif 000011
【図１１】
0003645222.tif 000012